(57)【要約】【課題】  折畳み状態及び使用状態の双方を安定に保つことができるハンドルを提供する。【解決手段】  第１ハンドル１の先端に挿入部６を、第２ハンドル２の支持端に二股状の受部５を形成し、これらを貫通するハンドル軸７の横断面形状を円に内接する異形とすると共に、その一端に形成されたフランジ８の内面に係合凸部９を形成し、一方、ハンドル軸７の長さを受部５の貫通孔より長くして、ハンドル軸が長さ方向に遊動できるようにすると共に、そのフランジ８が受部５の外面に当接する方向に付勢し、また、フランジに対向する受部の外面に、第２ハンドル２が収納角度位置にあるときフランジの係合凸部９と係合する収納凹部と、第２ハンドルが作動角度位置にあるときフランジの係合凸部と係合する作動凹部１７の双方を形成する。【選択図】  図４
2005115846.tif 000002
【特許請求の範囲】
【請求項１】
基端を機能ブロックの駆動ギアに連結された第１ハンドルと、この第１ハンドルの先端に回り対偶を介して折畳み可能に結合された第２ハンドルとを有し、第１ハンドルの先端及び第２ハンドルの支持端の一方を二股状の受部に、他方をこの二股の間に入り込む形状の挿入部に成形し、これら受部及び挿入部を貫通するハンドル軸とを有するものにおいて、ハンドル軸の横断面形状を円に内接する異形とすると共に、その一端に形成されたフランジ内面に係合凸部を形成し、一方、ハンドル軸と嵌合する上記挿入部の貫通孔の横断面形状をハンドル軸と同じ異形にしてハンドル軸と挿入部との間に回り止めを施し、また、ハンドル軸と嵌合する受部の貫通孔の横断面形状をハンドル軸に外接する円形とし、他方、ハンドル軸の長さを受部の貫通孔より長くして、ハンドル軸が長さ方向に遊動できるようにすると共に、そのフランジが受部の外面に当接する方向に付勢し、また、フランジに対向する受部の外面に、第２ハンドルが収納角度位置にあるときフランジの係合凸部と係合する収納凹部と、第２ハンドルが作動角度位置にあるときフランジの係合凸部と係合する作動凹部の双方を形成したことを特徴とする折畳み式ハンドル。
【発明の詳細な説明】
【技術分野】
【０００１】
この発明は、折畳み式ハンドル（以下単にハンドルという）に係り、特に、折畳み状態及び使用状態の双方を安定に保つことができ、操作性も向上させることができるハンドルに関する。
【背景技術】
【０００２】
例えば後記の特許文献１に記載された縦滑り出し窓やルーバー窓は、室内側のハンドルを所定の方向に回すことにより、駆動ギアを介してリンク機構等（以下機能ブロックという）を動かし、可動の障子を開け閉めし、或いはルーバーの開度を変化させる。
【０００３】
このハンドルは、不使用時室内側に突出していると歩行等の邪魔になり、また危険でもあるから、不使用時には折畳む構造が普通である。
【０００４】
しかしながら、通常のハンドルは、使用時における操作性を重視して使用状態（開き状態）を固定するが、折畳み状態は固定しない。
【０００５】
そのため、折畳み状態においてハンドルが不安定になり、不使用時開いてしまうと邪魔になったり通行の不便をきたす、等の不都合があった。
【特許文献１】実開平６−０７６５８５号公報
【発明の開示】
【発明が解決しようとする課題】
【０００６】
そこで、この発明は、折畳み状態も固定するハンドルを提供し、以て上記した不都合を解消することを目的としている。
【課題を解決するための手段】
【０００７】
上記の目的を達成するため、この発明は、基端を機能ブロックの駆動ギアに連結された第１ハンドルと、この第１ハンドルの先端に回り対偶を介して折畳み可能に結合された第２ハンドルとを有し、第１ハンドルの先端及び第２ハンドルの支持端の一方を二股状の受部に、他方をこの二股の間に入り込む形状の挿入部に成形し、これら受部及び挿入部を貫通するハンドル軸とを有するものにおいて、ハンドル軸の横断面形状を円に内接する異形とすると共に、その一端に形成されたフランジ内面に係合凸部を形成し、一方、ハンドル軸と嵌合する上記挿入部の貫通孔の横断面形状をハンドル軸と同じ異形にしてハンドル軸と挿入部との間に回り止めを施し、また、ハンドル軸と嵌合する受部の貫通孔の横断面形状をハンドル軸に外接する円形とし、他方、ハンドル軸の長さを受部の貫通孔より長くして、ハンドル軸が長さ方向に遊動できるようにすると共に、そのフランジが受部の外面に当接する方向に付勢し、また、フランジに対向する受部の外面に、第２ハンドルが収納角度位置にあるときフランジの係合凸部と係合する収納凹部と、第２ハンドルが作動角度位置にあるときフランジの係合凸部と係合する作動凹部の双方を形成したことを特徴とする。
【発明の効果】
【０００８】
上記のように構成されたこの発明による折畳み式ハンドルは、第２ハンドルが収納角度位置にあるときにも、また作動角度位置にあるときにも、ハンドル軸のフランジ内面の係合凸部が受部外面の収納凹部に係合し、しかもその係合がハンドル軸の付勢力により安定に保たれるので、第２ハンドルは収納状態において開いてしまうことがなく、収納性が格段に向上する。
【０００９】
また、第２ハンドルの第１ハンドルに対する開閉を行うには、ハンドル軸の他端を付勢力に抗して押動し、ハンドルの開閉を行った後、ハンドル軸を付勢力によって元の位置に戻せばよい。
【発明を実施するための最良の形態】
【００１０】
折畳みハンドルの折畳んだ状態を固定する、という目的を、最小の部品点数の増加で、全体の寸法をほとんど変えることなく実現した。
【実施例１】
【００１１】
以下、この発明の実施例を図面を参照して説明する。
図１及び図２において符号１は第１ハンドルを、符号２は第２ハンドルを夫々示し、これら第１及び第２ハンドルは後述する構造の回り対偶を介して開閉可能に連結されている。
【００１２】
上記第１ハンドル１の基端（図２で左端）は、駆動軸３を介して、例えば縦滑り出し窓の図示しない機能ブロックの駆動ギアに連結されている。
【００１３】
また、第２ハンドル２の作用端（図２で右端）には操作摘み４が回転可能に装着されているが、この操作摘み４はこの発明の必須の構成ではない。
【００１４】
一方、図３及び図４に示すように、第２ハンドル２の支持端（図３で左端）は二股状に成形され、受部５が形成されている。
【００１５】
また、第１ハンドル１の先端はこの受部５の間に挿入できる形状、寸法に設定され、この先端が挿入部６となっている。
【００１６】
そして、これら受部５及び挿入部６を図４で左右方向に貫通するハンドル軸７により、これら第１及び第２ハンドル１、２が相互に相対角度間隔を変えることができるように一体的に連結されている。
【００１７】
上記ハンドル軸７は、図５に示すように、その横断面が円に内接する異形（図示の実施例では小判形）となっている。
【００１８】
また、ハンドル軸４の一端（図５で左端）には例えば円形のフランジ８が一体に形成されており、その内面、すなわちハンドル軸７に対向する面には係合凸部が突設されている。
【００１９】
図５に示す実施例では、ハンドル軸７を挟んで対称的に、一対の略直方体状の係合凸部９、９が一体に突設されている。
【００２０】
一方、ハンドル軸７と嵌合する第１ハンドル先端の挿入部６の第１貫通孔１１（図４参照）は、横断面形状が小判形になるように成形されているので、この貫通孔１１とハンドル軸７の横断面の形状係合により、ハンドル軸７と挿入部６の間に回り止めが施される。
【００２１】
また、図６に示すように、ハンドル軸７と嵌合する受部５の第２貫通孔１２の横断面形状をハンドル軸７に外接する円形とし、ハンドル軸７が受部５と回動可能に嵌合するようにする。
【００２２】
他方、図４に示すように、ハンドル軸７の長さは受部の第２貫通孔１２のそれより長く設定されているので、ハンドル軸７は長さ方向に遊動できる。
【００２３】
これに対応して、図示の実施例では受部５の両外面は貫通孔１１、１２と同軸に肉が盗まれて凹陥部が形成されており、ハンドル軸７が長さ方向に遊動しても受け部５から突出しないように考慮されている（図４参照）。
【００２４】
この場合、貫通孔１２の近傍においては、上記凹陥部の底面が受け部５の外面となる。
【００２５】
また、図４に示すように、ハンドル軸７の他端部には蛇の目状のばね止め板１３がかしめ付けられており、このばね止め板１３と受け部の凹陥部底面との間に弾装された圧縮コイルばねとしての付勢ばね１４の弾力により、ハンドル軸７はそのフランジが受け部５の外面に当接する方向に付勢されている。
【００２６】
なお、上記のようにハンドル軸７の他端にばね止め板１３をかしめ付けるため、図５に示すように、ハンドル軸７の他端に擂り鉢状のかしめ穴１５を形成した小径の短い軸部が一体に形成され、この小径段部に填め込まれた蛇の目状のばね止め板１３を、例えばポンチの打撃によって拡開する小径軸部先端によりかしめ付ける。
【００２７】
また、上記ハンドル軸の他端には図示しない飾りキャップを嵌着し、見栄えを良くすると共に、後述するようにハンドル軸７の他端を押動するときの操作性を向上させるを可とする。
【００２８】
一方、フランジ８に対向する受部５の外面、すなわち、図４の左側の凹陥部の底面には、図６に示すように、第２ハンドル２が収納角度位置にあるときフランジの係合突部９と係合する収納凹部１６、１６と、第２ハンドル２が作動角度位置にあるとき（図３参照）フランジの係合突部９と係合する作動凹部１７、１７の双方が形成されている。
【００２９】
上記のように構成されたこの発明の一実施例によるハンドルは、図４に示す状態では、フランジの係合突部９、９は上記受部の外面における作動凹部１７、１７と係合しており、その係合状態は付勢ばね１４の弾力により安定に保たれる。
【００３０】
そのため、図２及び図３に示すように、第１ハンドル１（駆動軸３）と第２ハンドル２の操作摘み４とは相互に平行になり、かつこれらの間隔が大きくなるので、僅かな回転力で円滑な第１ハンドルの回動が可能となる。
【００３１】
このとき、無理に第２ハンドルを折り畳もうとすると、その力は係合突部９と作動凹部１７との係合を介して第１ハンドルに伝達され、これに坦持されるので、折畳むことができない。
【００３２】
例えば縦滑り出し窓の開閉操作を終えて第２ハンドルを折り畳むときには、前記図示しない飾りキャップを押して、付勢ばね１４の弾力に抗して図４に示すハンドル軸７を左方に移動させる。
【００３３】
すると、フランジの係合突部９,９が作動凹部１７、１７から抜き外されるから、受部５はハンドル軸７から自由になり、受部５と一体の第２ハンドル２は回動可能になるので、これを第１ハンドル１と重合する方向に折り畳むことができる。
【００３４】
折り畳んだ状態で飾りキャップを押していた手指を離すと、付勢ばね１４の弾力によりハンドル軸７が図４で右方に移動し、今度はフランジの係合突部９が受部の収納凹部１６に係合するので、前記したと同様に、ハンドルの折り畳み状態が安定に保持される。
【００３５】
なお、この発明は図示の実施例に限定されることなく、種々に変形して実施することができる。
【００３６】
例えば、図示の実施例では第１ハンドル１に挿入部６を、第２ハンドル２に受部５を夫々形成するものとしたが、これを反対にして、第１ハンドル１に受部５を、第２ハンドル２に挿入部６を夫々形成するようにしても良いことは勿論である。
【図面の簡単な説明】
【００３７】
【図１】ハンドルの側面図で、折り畳み状態を示す。
【図２】ハンドルの断面図で、作動状態を示す。
【図３】ハンドルの作動状態における側面図で、操作摘み及び第１ハンドルを水平にして示す。
【図４】図３のＩＶ−ＩＶ線から見たハンドルの一部断面正面図。
【図５】ハンドル軸の外観斜視図。
【図６】第２ハンドルの側面図。
【符号の説明】
【００３８】
１  第１ハンドル
２  第２ハンドル
３  駆動軸
４  操作摘み
５  受部
６  挿入部
７  ハンドル軸
８  フランジ
９  係合凸部
１１  第１貫通孔
１２  第２貫通孔
１４  付勢ばね
１６  収納凹部
１７  作動凹部
【図１】
2005115846.tif 000003
【図２】
2005115846.tif 000004
【図３】
2005115846.tif 000005
【図４】
2005115846.tif 000006
【図５】
2005115846.tif 000007
【図６】
2005115846.tif 000008